(57)【要約】【課題】  署名データと指紋データとの双方を簡便に同時に入力可能な仕組みを実現することである。【解決手段】  利用者はペン手段１２を用いてタブレット１４上で署名を書くことによって署名データを入力する。このように利用者がタブレット上で描いた手書きのデータは、タブレット１４上の座標データとして得られる。ペン手段１２には指紋センサ１６が設けられている。利用者がこのペンを手で保持した場合に、親指や人差し指・中指が当接する位置に指紋センサ１６が設けられている。これによって、利用者はペン手段１２を保持するだけで、指紋データを入力可能である。このように、署名データと指紋データの入力に関する時間軸及び場所の同時性を確保できる。特に個人認証に応用する場合、認証の確度をより高められ、利用者に対して署名データと指紋データの入力を同時にしていると意識させずに生体情報を入力可能である。【選択図】      図１
2005108141.tif 000002
【特許請求の範囲】
【請求項１】
署名データを入力する生体情報入力装置において、
署名データを入力する際に、利用者が手で保持し、署名を書く動作をするためのペン手段、
を含み、前記ペン手段は、前記ペン手段を保持する手の指の指紋データを入力する指紋データ入力手段を備えることを特徴とする生体情報入力装置。
【発明の詳細な説明】
【技術分野】
【０００１】
本発明は、個人認証等に用いられる複数の生体情報を同時に入力する装置に関する。特に、署名データと、指紋データとを同時に入力することができる装置に関する。
【背景技術】
【０００２】
指紋や署名データ等の生体情報は、その人固有のデータであるため、個人認証等に広く利用されている。
【０００３】
生体情報を利用した個人認証システムは、一般に、利用者の生体情報を入力し、入力した生体情報を予め登録しておいた生体情報と比較することによって本人か否かを判定する。この場合、複数種類の生体情報を用いて個人認証を行えば、より的確な個人認証を行うことができると考えられる。複数種類の生体情報を用いる個人認証の例が例えば後述する特許文献１に記載されている。
【０００４】
また、例えば下記特許文献２には、利用者の動作パターンと指紋パターンの双方を入力可能に構成したボタンが開示されている。このボタンは、指紋パターンを認識する認識チップを備えているので、ボタンを押下した指の指紋パターンを検出可能である。
【０００５】
このような構成によって、利用者は、複数のボタンを所定のパターンで押下する際に同時に指紋パターンも入力することができる。下記特許文献２には、このような個人認証システムが開示されている。
【０００６】
【特許文献１】特開２００２−８０３４号公報
【特許文献２】特開２００１−３２６９１６号公報
【特許文献３】特開２００２−１５９５６９号公報
【発明の開示】
【発明が解決しようとする課題】
【０００７】
このように、複数の生体情報を用いて個人認証を行うことや、指の動作パターンを入力しながら、その指の指紋パターンも入力するような仕組みは従来から知られている。
【０００８】
しかしながら、署名データと、他の生体情報を組み合わせて個人認証を行おうとする場合、使用しやすい有効な仕組みは知られていない。例えば、上記特許文献３には、スタイラスペンを用いる装置において、指紋データを入力する仕組みが開示されている。ここに開示されている技術によれば、スタイラスペンが操作をする操作面とは別に、指紋センサが設けられている構成が示されている。このような構成の下で、署名データと指紋データを組み合わせる場合には、署名データはスタイラスペンで入力し、指紋データは指紋センサにより入力し、両者は別個独立に入力作業が行われるであろう。そのため、比較的繁雑な作業が必要となる。両者を同時に入力できれば便利であるが、そのような仕組みは未だ知られていない。
【０００９】
本発明は、上記課題に鑑みなされたものであり、その目的は、署名データと指紋データとの双方を簡便に同時に入力可能な仕組みを実現することである。
【課題を解決するための手段】
【００１０】
本発明は、上記目的を達成するために、署名データを入力する際に用いられ、利用者が手で保持するペン手段を備えた生体情報入力装置において、署名データを入力する際に、利用者が手で保持し、署名を書く動作をするためのペン手段、を含み、前記ペン手段は、前記ペン手段を保持する手の指の指紋データを入力する指紋データ入力手段を備えることを特徴とする生体情報入力装置である。
【００１１】
このような構成によれば、署名を書く動作をする際に用いるペン手段に指紋データ入力手段を設けたため、署名の入力と同時に指紋データを入力することが可能である。
【発明の効果】
【００１２】
以上述べたように、本発明によれば、署名データと指紋データとを同時に入力することが可能となり、特にペンを持っている利用者の入力動作に関して、時間軸及び場所の双方の同時性を提供できる。
【００１３】
このように、本発明は、署名データと指紋データの入力に関する時間軸及び場所の同時性を確保できるので、特に個人認証に応用する場合、認証の確度をより高めることができると期待される。さらに、個人認証に応用した場合、署名データと指紋データの入力を同時にしていると意識させることなく双方のデータを入力することができるので、利用者にとって使いやすい装置となることが考えられる。
【発明を実施するための最良の形態】
【００１４】
以下、本発明の好適な実施の形態を図面に基づいて説明する。
【００１５】
図１には、本実施の形態における生体情報入力装置１０の外観図が示されている。この図に示すように、生体情報入力装置１０は、署名データを入力するためのペン手段１２と、タブレット１４を備えている。利用者はこのペン手段１２を手で保持し、タブレット１４上で署名を書くことによって、署名データを入力する。タブレット１４には、電磁誘導コイルが埋設されており、ペン手段１２にも前記電磁誘導コイルと電磁的に結合するコイルが設けられている。このような構成によって、利用者がペン手段１２を用いてタブレット１４上で描いた手書きのデータは、タブレット１４上の座標データとして得られる。このように、タブレット１４と、ペン手段１２とからなる手書きのデータを入力する装置は広く知られているので、当業者であれば容易に実施することができる。
【００１６】
本実施の形態において特徴的なことは、ペン手段１２に指紋センサ１６が設けられていることである。本実施の形態においては、従来の平面状の指紋センサをペン手段１２の胴体の周囲に巻き付けるような構造を採用している。従来から、平面状の指紋センサは各種知られているので、そのような指紋センサをペン手段１２の円筒状の胴体の周囲に巻き付けることによって、ペン手段１２は構成されている。
【００１７】
そして、利用者がこのペンを手で保持した場合に、ちょうど親指や人差し指・中指が当接する位置に、この指紋センサ１６が設けられている。
【００１８】
このような構成によって、利用者は、ペン手段１２を保持するだけで、指紋データの入力をすることができるのである。したがって、本実施の形態によれば、署名データと指紋データとを同時に簡便に入力することが可能である。
【００１９】
詳細に言えば、本実施の形態によれば、ペンを持っている利用者の入力動作に関して、時間軸及び場所の双方の同時性を提供することが可能となる。
【００２０】
このように、本実施の形態によれば、署名データと指紋データの入力に関する時間軸及び場所の同時性を確保できるので、特に個人認証に応用する場合、認証の確度をより高めることができると期待される。さらに、個人認証に応用した場合、署名データと指紋データの入力を同時にしていると意識させることなく双方のデータを入力することができるので、利用者にとって使いやすい生体情報入力装置が実現できよう。
【００２１】
指紋データの取得タイミング
なお、指紋データは、利用者がペン手段１２を保持している間いつでも取得することができるが、署名データの取得タイミングと同期して指紋データを取得することが好ましい。
【００２２】
指紋データの送信
なお、図示されてはいないが、ペン手段１２には、指紋センサ１６が取得した指紋データを外部に送信するための通信手段が設けられている。この通信手段によって、取得した指紋データを外部の指紋データの認証装置等に送信することができ、個人認証等にこの指紋データを利用することが可能となる。
【００２３】
ペン手段１２が有する通信手段としては、いわゆるBlueTooth（エリクソン社等の登録商標）等の通信規格を利用することが好ましい。また、いわゆる無線ＬＡＮ等の通信規格を採用してもよい。
【００２４】
また、指紋データの送信先として、タブレット１４を使用することも好ましい。タブレット１４が指紋データの送信先の場合は、タブレット１４が、署名データ（手書きデータ）とともに指紋データを外部に出力する。この結果、外部においては、２種類の生体情報（署名データ＋指紋データ）をまとめて得ることができる。
【００２５】
変形例
上で述べた例では、タブレット１４を用いる例を示したが、タブレットを用いずにペンのみで署名データを入力可能な装置も知られている。典型的な例においては、ペン先に光学的センサを設けておき、ペンが移動する紙面上の模様の移動距離・方向等を検出することによってペンの移動を検出するものが知られている。このようなペン単独で署名データを入力することができる装置の場合でも、このペンの周囲に、図１と同様にして指紋センサ１６を取り付けることによって、署名データと指紋データとを同時に入力することが可能である。
【００２６】
その他
このように２種の生体情報を利用することによって、個人認証システムを構築すればより望ましい個人認証システムが構成可能である。各生体情報の識別精度若干落としつつ、トータルでは、より高い認証精度を実現できるからである。
【００２７】
また、生体情報には大きく分類すれば２種類存在する。
【００２８】
第１の種類は、指紋データのように、基本的に変更できないものである。このような指紋データはいわゆるＩＤに近いものである。目の虹彩データ等もこれに該当する。
【００２９】
第２の種類は、署名データのように、変更することができるものである。このような署名データは、いわゆるパスワードに近い性質を有している。
【００３０】
一般に個人の認証のためには、「ＩＤ」と、「パスワード」からなる認証方法が古くから利用されている。この理由は、これらのデータが上記２種類の性質を有しており、互いの性質を補間しあって、良好な個人認証を実現できるからである。
【００３１】
本実施の形態においても、ＩＤに近い指紋データと、パスワードに近い署名データとを同時に入力しているので、本実施の形態による生体情報入力装置を用いれば、より良好な個人認証等を実現できると考えられる。
【図面の簡単な説明】
【００３２】
【図１】本実施の形態１の生体情報入力装置の外観図である。
【符号の説明】
【００３３】
１０  生体情報入力装置
１２  ペン手段
１４  タブレット
１６  指紋センサ
【図１】
2005108141.tif 000003